(57)【要約】【課題】足先を裾口から抜いたり、出したりすることなく脱着することができるズボンを提供する。【解決手段】ゲレンデでスキーを楽しんでいる間に暑いと感じた場合には、ファスナ１３のスライダ１３ｃを下方へスライドさせ構成部１３ａと構成部１３ｂとを分離し、左右の身頃２、３の前身頃５と後身頃７を分割して、開放する。次いで、スキー用ズボン１を例えば前方へ抜くようにして脱ぐ。また、寒いと感じた場合には、左右の身頃２、３の前身頃５と後身頃７を分割して開放したままで、左右の身頃２、３を足、腰に装着し、構成部１３ａに備えられたスライダ１３ｃを構成部１３ｂに係合させて上方にスライドさせて構成部１３ａと構成部１３ｂとを連結し、左右の身頃２、３の前身頃５と後身頃７とを連結する。【選択図】  図２
0003204896.tif 000002
【実用新案登録請求の範囲】
【請求項１】
足と腰を覆う左右の身頃がそれぞれ前後方向の途中部分で分割されて、前記分割された左右の身頃を開放でき、且つ股部において繋がるズボンであって、前記左右の身頃を分割する状態と連結する状態とにできる連結分割手段を備えたことを特徴とするズボン。
【請求項２】
請求項１に記載したズボンにおいて、身頃を構成する前身頃と後身頃の境界である脇線に沿って分割されるものであることを特徴とするズボン。
【請求項３】
請求項１または２に記載したズボンにおいて、スキー用ズボンであることを特徴とするズボン。
【考案の詳細な説明】
【技術分野】
【０００１】
本考案はズボンに係り、特に靴等を履いたままでも容易に脱着することができるズボンに関するものである。
【背景技術】
【０００２】
ズボンを脱ぐ場合には足先を裾口から腰回り部開口へ抜く必要があるが、スキーを履いている場合等、足先を裾口から抜くことができないことがある。
特許文献１に記載されたズボンも当然のことながら脱着する場合には足先を裾口から抜いたり、出したりする必要がある。
【先行技術文献】
【特許文献】
【０００３】
【特許文献１】特開２００５−１７９８３３号公報
【考案の概要】
【考案が解決しようとする課題】
【０００４】
しかしながら、上記従来のズボンでは、スキー板を装着している場合等は足先を裾口から抜いたり、出したりすることができず、ゲレンデでスキーを楽しんでいる間の寒暖に合わせて、スキーズボンを脱着することができないという不都合がある。
本考案は上記従来の問題点に着目して為されたものであり、足先を裾口から抜いたり、出したりすることなく脱着することができるズボンの提供を、その目的とする。
【課題を解決するための手段】
【０００５】
本考案は上記課題を解決するためになされたものであり、請求項１の考案は、足と腰を覆う左右の身頃がそれぞれ前後方向の途中部分で分割されて、前記分割された左右の身頃を開放でき、且つ股部において繋がるズボンであって、前記左右の身頃を分割する状態と連結する状態とにできる連結分割手段を備えたことを特徴とするズボンである。
【０００６】
請求項２の考案は、請求項１に記載したズボンにおいて、身頃を構成する前身頃と後身頃の境界である脇線に沿って分割されるものであることを特徴とするズボンである。
【０００７】
請求項３の考案は、請求項１または２に記載したズボンにおいて、スキー用ズボンであることを特徴とするズボンである。
【考案の効果】
【０００８】
本考案のズボンでは、足先を裾口から抜いたり、出したりすることなく脱着することが可能となる。
【図面の簡単な説明】
【０００９】
【図１】（Ａ）は本考案の実施の形態に係るスキー用ズボンの正面図、（Ｂ）は（Ａ）の左側面図、（Ｃ）は（Ａ）の右側面図である。
【図２】本考案の実施の形態に係るスキー用ズボンを装着した状態の斜視図である。
【図３】図１の状態からスキー用ズボンの脱着方法を説明するための斜視図である。
【図４】図１の状態からスキー用ズボンの脱着方法を説明するための斜視図である。
【考案を実施するための形態】
【００１０】
本考案の実施の形態に係るズボンとしてのスキー用ズボン１を図面にしたがって説明する。
スキー用ズボン１は足と腰を覆う左右の身頃２、３を有しており、この身頃２、３は前身頃５と後身頃７とから構成されている。また、ウエスト部９の裏側には伸縮性のテープが備えられている。
スキー用ズボン１は前身頃５と後身頃７の境界である脇線１１に沿って分割されるようになっている。そして、脇線１１となる部分には連結分割手段としてのファスナ１３が設けられている。すなわち、ファスナ１３の一方側の構成部１３ａが前身頃５側に固定され、他方側の構成部１３ｂが後身頃７側に固定されている。スライダ１３ｃは構成部１３ａに備えられている。
【００１１】
このスキー用ズボン１はファスナ１３の構成部１３ａと構成部１３ｂを分離した状態では、図１において一点鎖線で示すように前身頃５と後身頃７の境界である脇線１１に沿って分割でき、開放することができるようになっている。このように脇線１１に沿って分割した状態でもスキー用ズボン１は股部８において繋がっている。
また、構成部１３ａに備えられたスライダ１３ｃを構成部１３ｂに係合させて上方にスライドさせると構成部１３ａと構成部１３ｂとが連結され、左右の身頃２、３の前身頃５と後身頃７とが連結される。これにより、左右の身頃２、３は筒状になる。
【００１２】
図２に示すように、スキー用ズボン１は通常ファスナ１３の構成部１３ａと構成部１３ｂとが連結し、左右の身頃２、３の前身頃５と後身頃７とが連結された状態で装着する。そして、スキー靴１５、スキー板１７を装着する。
ゲレンデでスキーを楽しんでいる間に暑いと感じた場合には、図３に示すように、ファスナ１３のスライダ１３ｃを下方へスライドさせ構成部１３ａと構成部１３ｂとを分離し、左右の身頃２、３の前身頃５と後身頃７を分割して、開放する。
【００１３】
次いで、図４に示すようにスキー用ズボン１を例えば前方へ抜くようにして脱ぐ。
また、寒いと感じた場合には、左右の身頃２、３の前身頃５と後身頃７を分割して開放したままで、左右の身頃２、３を足、腰に装着し、構成部１３ａに備えられたスライダ１３ｃを構成部１３ｂに係合させて上方にスライドさせて構成部１３ａと構成部１３ｂとを連結し、左右の身頃２、３の前身頃５と後身頃７とを連結する（図１参照）。
このように、スキー用ズボン１では、足先を裾口１９から抜いたり、出したりすることなく脱着することが可能なので、スキー靴１５、スキー板１７を装着したままで脱着することが可能である。
【００１４】
以上、本考案の実施の形態について詳述してきたが、具体的構成は、この実施の形態に限られるものではなく、本考案の要旨を逸脱しない範囲における設計の変更などがあっても考案に含まれる。
上記実施の形態ではスキー用ズボンを示したが、スキー用以外のズボンに適用できることは勿論である。例えば、本考案は蚊などの虫除け用、日焼け防止用等のズボンにも適用することができる。これらのズボンは特に屋外において使用されるものであり、靴を履いたままで脱着可能であることが要求されるので、本考案のズボンが有効である。また、怪我や病気で足先を裾口から抜くことができない者のためのズボンにも本考案を適用することが有効である。
【産業上の利用可能性】
【００１５】
本考案のズボンはスキーウェア等の被服の製造業において利用可能性を有するものである。
【符号の説明】
【００１６】
１…スキー用ズボン      ２、３…左右の身頃
５…前身頃              ７…後身頃            ８…股部
９…ウエスト部        １１…脇線            １３…ファスナ
１３ａ、１３ｂ…ファスナの構成部              １３ｃ…ファスナのスライダ
１５…スキー靴          １７…スキー板        １９…裾口
【図１】
0003204896.tif 000003
【図２】
0003204896.tif 000004
【図３】
0003204896.tif 000005
【図４】
0003204896.tif 000006